(57)【要約】【課題】  グリーン周りにおけるクラブの置き忘れを抑制しつつ、スムーズなプレーを可能とするクラブホルダを提供すること。【解決手段】  クラブホルダＡ１は、衣類の端部に装着するためのクリップ部１と、クリップ部１に対して連結されており、ゴルフクラブＧｃのシャフトＳｆを上記端部の端縁が延びる方向に対して傾けた状態で保持するホルダ部２と、を備えている。【選択図】  図３
2011104156.tif 000002
【特許請求の範囲】
【請求項１】
衣類の端部に装着するためのクリップ部と、
上記クリップ部に対して連結されており、ゴルフクラブのシャフトを上記端部の端縁が延びる方向に対して傾けた状態で保持するホルダ部と、
を備えていることを特徴とする、クラブホルダ。
【請求項２】
上記ホルダ部は、上記ゴルフクラブのシャフトを上記端縁が延びる方向に対して４５°傾けた状態で保持する、請求項１に記載のクラブホルダ。
【請求項３】
上記クリップ部は  上記ホルダが連結された表板部と、この表板部と対向する裏板部と、これらの表板部および裏板部を連結する奥板部と、を有し、
上記裏板部は、上記表板部よりも上記奥板部とは反対側に延出し、かつ磁力式のボールマーカーを保持するための延出部をさらに有する、請求項１または２に記載のクラブホルダ。
【発明の詳細な説明】
【技術分野】
【０００１】
本発明は、アプローチウエッジなどのゴルフクラブを保持するためのクラブホルダに関する。
【背景技術】
【０００２】
特に、キャディーが同伴しないゴルフラウンドにおいて、アプローチショットを行う場合、パターと必要なアプローチウエッジ（たとえば、特許文献１参照）をキャディーバッグから抜き取り、アプローチに臨む。アプローチショットによってボールをグリーンにのせた後は、不要となったアプローチウエッジをグリーン周りに置いたままパッティングを行うのが通常である。そして、カップインした後は、置いてあったアプローチウエッジを拾い上げて、次のホールに向かう。
【０００３】
グリーン周りにおいたクラブを忘れないようにするために、できるだけカートに戻るときに分かりやすい場所に、クラブを置きに行ったりする。また、置いてあった場所がカートと反対側だったりする場合は、パッティングの後にそこまで戻ってクラブを拾い上げる。
【０００４】
しかしながら、パッティングを行う前にアプローチウエッジを拾いやすい場所においたり、パッティングの後に拾いに行ったりすることは、競技とは無関係な無駄な動きである。そのため、グリーン周りにクラブを置き忘れることが多い。
【先行技術文献】
【特許文献】
【０００５】
【特許文献１】特開２００４−３０５４５２号公報
【発明の概要】
【発明が解決しようとする課題】
【０００６】
本発明は、上記した事情のもとで考え出されたものであって、グリーン周りにおけるクラブの置き忘れを抑制しつつ、スムーズなプレーを可能とするクラブホルダを提供することをその課題とする。
【課題を解決するための手段】
【０００７】
本発明によって提供されるクラブホルダは、衣類の端部に装着するためのクリップ部と、上記クリップ部に対して連結されており、ゴルフクラブのシャフトを上記端部の端縁が延びる方向に対して傾けた状態で保持するホルダ部と、を備えていることを特徴としている。
【０００８】
このような構成によれば、上記クラブホルダに対して使用者の前面側斜め上方に上記ゴルフクラブのヘッドが位置し、上記クラブホルダに対して使用者の後面側斜め下方に上記シャフトが位置する状態で、上記ゴルフクラブを保持することができる。上記ヘッドは使用者の腰周りに寄り添った格好となるため、たとえば使用者がパターを用いてパッティングを行う際にも、プレーの邪魔になることは無い。また、パッティングに先立って、パッティングラインを読もうとしてグリーン上でかがんだ場合には、後側斜め下方に延びた上記シャフトは、より水平な状態に近づくこととなり、グリーン面に接するおそれはない。これにより、グリーンでのパッティング動作においてゴルフクラブを終始適切に保持しておくことが可能である。したがって、グリーン周りのアプローチショットを終えたのちに、アプローチウエッジなどをカートに置きに行ったり、グリーン周りのうちカートに近い場所にわざわざ置いたりするといったことが不要であり、無駄な動きを省くことができる。
【０００９】
本発明の好ましい実施の形態においては、上記ホルダ部は、上記ゴルフクラブのシャフトを上記端縁が延びる方向に対して４５°傾けた状態で保持する。このような構成によれば、パッティング動作およびパッティングラインを読むためにかがむ動作において、上記ゴルフクラブが使用者の身体やグリーン面に当ってしまうことを防止するのに好適である。
【００１０】
本発明の好ましい実施の形態においては、上記クリップ部は、上記ホルダが連結された表板部と、この表板部と対向する裏板部と、これらの表板部および裏板部を連結する奥板部と、を有し、上記裏板部は、上記表板部よりも上記奥板部とは反対側に延出し、かつ磁力式のボールマーカーを保持するための延出部をさらに有する。このような構成によれば、上記ボールマーカーを保持するための専用の器具を使用者の衣服や帽子などに取り付ける必要が無い。上記クラブホルダに上記ゴルフクラブが装着された状態であっても、上記シャフトが斜めに延びる姿勢となることにより、上記シャフトと上記延出部とはほとんど重ならない。これにより、上記ボールマーカーの脱着を上記シャフトが阻害するといった不具合もない。
【００１１】
本発明のその他の特徴および利点は、添付図面を参照して以下に行う詳細な説明によって、より明らかとなろう。
【図面の簡単な説明】
【００１２】
【図１】本発明の第１実施形態に基づくクラブホルダを示す斜視図である。
【図２】図１に示すクラブホルダを示す正面図である。
【図３】図１に示すクラブホルダの使用状態を示す正面図である。
【図４】本発明の第２実施形態に基づくクラブホルダを示す正面図である。
【発明を実施するための形態】
【００１３】
以下、本発明の好ましい実施の形態につき、図面を参照して具体的に説明する。
【００１４】
図１〜図３は、本発明の第１実施形態に基づくクラブホルダを示している。本実施形態のクラブホルダＡ１は、クリップ部１およびホルダ部２を備えており、特にグリーン周りにおいてアプローチウエッジなどのゴルフクラブＧｃを一時的に保持するために用いられる。本実施形態のクラブホルダＡ１は、たとえば全長が５０ｍｍ程度、最大幅が３０ｍｍ程度とされている。
【００１５】
クリップ部１は、クラブホルダＡ１をベルトＢｔあるいはスラックスＳｌなどの衣類に取り付けるための部位であり、本実施形態においては、着色焼付けが施されたステンレス材からなる。なお、クリップ部１の材質としては、ステンレス材に限らず、ステンレス材以外の金属、あるいは成形可能な樹脂を用いてもよい。
【００１６】
クリップ部１は、表板部１１、裏板部１２、および奥板部１３によって構成されている。表板部１１は、クラブホルダＡ１を衣類に取り付けた状態で外側に位置する部分である。表板部１１には、ホルダ部２がたとえば溶接によって接合されている。裏板部１２は、表板部１１と対向しており、クラブホルダＡ１が衣類に取り付けられた状態で内側に位置する。奥板部１３は、表板部１１および裏板部１２を互いに連結している。
【００１７】
表板部１１の先端寄り部分には、屈曲部１１ａが設けられている。屈曲部１１ａが設けられている箇所は、表板部１１と裏板部１２との間隔が部分的に狭くなっている。この部分によって、ベルトＢｔやスラックスＳｌの端部を挟持する。なお、本実施形態のクリップ部１は、表板部１１、裏板部１２、および奥板部１３の弾性変形を利用して衣類を挟み込む構成とされているが、本発明で言うクリップ部はこのような構成に限定されない。たとえば、奥板部１３に相当する箇所に、バネを有する関節機構を採用することにより、より大きな開口寸法を実現可能な構成としてもよい。
【００１８】
ホルダ部２は、ゴルフクラブＧｃのシャフトＳｆを保持するための部位であり、本実施形態においては、着色焼付けが施されたステンレス材からなる。なお、ホルダ部２の材質としては、ステンレス材に限らず、ステンレス材以外の金属、あるいは成形可能な樹脂を用いてもよい。
【００１９】
ホルダ部２は、クリップ部１の表板部１１に接合されており、１対の挟持板部２１および連結部２２によって構成されている。１対の挟持板部２１は、互いに離間しつつ対向しており、各挟持板部２１には、屈曲部２１ａが形成されている。屈曲部２１ａは、他方の挟持板部２１に近づくように屈曲された部分である。これにより、屈曲部２１ａが設けられている箇所は、１対の挟持板部２１どうしの間隔が部分的に狭くなっており、本実施形態においてはゴルフクラブＧｃのシャフトＳｆの直径よりも若干小とされている。ホルダ部２は、クリップ部１の奥板部１３に対して傾いており、本実施形態においては、奥板部１３に対して４５度傾いている。
【００２０】
クラブホルダＡ１は、図３に示すように、衣類に取り付けて使用する。本図に示された使用例の場合、クラブホルダＡ１は、ベルトＢｔのうち使用者の左腰付近に位置する部分に取り付けられている。ベルトＢｔへの取り付けは、クリップ部１によってベルトＢｔの端部を挟みこむことによって行う。このとき、ベルトＢｔの上端縁に図１および図２に示す奥板部１３を押し当てることによって、クラブホルダＡ１の位置および姿勢を決める。
【００２１】
クラブホルダＡ１へのゴルフクラブＧｃの装着は、たとえばアプローチショットを終えた後に、アプローチウエッジなどのゴルフクラブＧｃのヘッドＨｄを上側に、グリップＧｐを斜め下側にした状態で掴む。そして、シャフトＳｆに対して左手の第１指を上側から、第２指を下側から添えて固定する。さらに第３〜５指を屈曲させるようにして、シャフトＳｆをホルダ部２に押し付ける。これにより、ゴルフクラブＧｃをクラブホルダＡ１に装着することができる。
【００２２】
本使用例においては、１つのクラブホルダＡ１が取り付けられているが、たとえばベルトＢｔに沿って複数のクラブホルダＡ１を並べて取り付けてもよい。またクラブホルダＡ１とは鏡面対称の構成とされた別のクラブホルダを右腰側にさらに取り付けてもよい。このような使用例によれば、複数のゴルフクラブＧｃを保持することができる。
【００２３】
また、クリップ部１に対してホルダ部２の角度が変更可能な取り付け構造を採用してもよい。このような構成によれば、１つのクラブホルダＡ１によって、右腰につけるものと左腰につけるものとを兼用することができる。また、ゴルフクラブＧｃの装着角度を、使用者に適した角度に調整するといったことも可能となる。
【００２４】
次に、クラブホルダＡ１の作用について説明する。
【００２５】
本実施形態によれば、クラブホルダＡ１に対して使用者の前面側斜め上方にヘッドＨｄが位置し、クラブホルダＡ１に対して使用者の後面側斜め下方にシャフトＳｆおよびグリップＧｐが位置する状態で、ゴルフクラブＧｃを保持することができる。ヘッドＨｄは腰周りに寄り添った格好となるため、たとえば使用者がパターＰｔを用いてパッティングを行う際にも、プレーの邪魔になることは無い。また、パッティングに先立って、パッティングラインを読もうとしてグリーン上でかがんだ場合には、後側斜め下方に延びたシャフトＳｆは、より水平な状態に近づくこととなり、グリーン面に接するおそれはない。これにより、グリーンでのパッティング動作において終始ゴルフクラブＧｃを適切に保持しておくことが可能である。したがって、グリーン周りのアプローチショットを終えたのちに、アプローチウエッジなどのゴルフクラブＧｃをカートに置きに行ったり、グリーン周りのうちカートに近い場所にわざわざ置いたりするといったことが不要であり、無駄な動きを省くことができる。
【００２６】
シャフトＳｆをベルトＢｔの上端縁（奥板部１３）に対して４５度に傾けた姿勢で保持可能である構成は、パッティング動作およびパッティングラインを読むためにかがむ動作において、ゴルフクラブＧｃが使用者の身体やグリーン面に当ってしまうことを防止するのに好適である。
【００２７】
また、パッティングのスタンスをとったときにクラブホルダＡ１に装着したゴルフクラブＧｃの揺れがおさまるまで待った後にパッティングを行うことにより、打ち急ぎを回避することが可能である。したがって、クラブホルダＡ１の副次的な作用として、パッティングのタイミングを取りやすいという利点が期待できる。
【００２８】
図４は、本発明の第２実施形態に基づくクラブホルダを示している。なお、本図において、上記実施形態と同一または類似の要素には、上記実施形態と同一の符号を付している。
【００２９】
本実施形態のクラブホルダＡ２は、クリップ部１の構成が、上述した実施形態と異なっている。本実施形態においては、クリップ部１の裏板部１２には、延出部１２ａが形成されている。延出部１２ａは、裏板部１２のうち表板部１１よりも奥板部１３とは反対側に延出した部分である。延出部１２ａは、幅が２５ｍｍ程度、延出長さが１５ｍｍ程度とされている。クリップ部１は、鉄などの強磁性体によって形成されている。これにより、延出部１２ａには、磁力を利用してボールマーカーＭｋを脱着可能となっている。
【００３０】
このような実施形態によれば、クラブホルダＡ２によってゴルフクラブＧｃだけでなく、ボールマーカーＭｋも装着可能であり、ボールマーカーＭｋを保持するための専用の器具を使用者の衣服や帽子などに取り付ける必要が無い。クラブホルダＡ２にゴルフクラブＧｃが装着された状態であっても、シャフトＳｆが斜めに延びる姿勢となることにより、シャフトＳｆと延出部１２ａとはほとんど重ならない。これにより、ボールマーカーＭｋの脱着をシャフトＳｆが阻害するといった不具合もない。なお、クリップ部１の本体を樹脂によって成形し、延出部１２ａのみを強磁性体の部品によって形成した構成としてもよい。
【００３１】
本発明に係るクラブホルダは、上述した実施形態に限定されるものではない。本発明に係るクラブホルダの各部の具体的な構成は、種々に設計変更自在である。
【符号の説明】
【００３２】
Ａ１，Ａ２  クラブホルダ
Ｇｃ    ゴルフクラブ
Ｇｐ    グリップ
Ｈｄ    ヘッド
Ｓｆ    シャフト
Ｓｌ    スラックス
Ｂｌ    ベルト
Ｐｔ    パター
１      クリップ部
１１    表板部
１１ａ  屈曲部
１２    裏板部
１２ａ  延出部
１３    奥板部
２      ホルダ部
２１    挟持板部
２１ａ  屈曲部
２２    連結部
【図１】
2011104156.tif 000003
【図２】
2011104156.tif 000004
【図３】
2011104156.tif 000005
【図４】
2011104156.tif 000006